(57)【要約】【課題】温室内に二酸化炭素を供給して光合成を促進させるシステムにおいて、二酸化炭素の無駄を的確に防止しつつ光合成促進効果を十分に発揮させる。【解決手段】光合成促進システム１０が適用される温室１には、二酸化炭素発生機２、ミストポンプユニット３、循環扇４、天窓開閉用モータ５、循環扇制御盤１１、換気制御盤１２、二酸化炭素・ミスト制御盤１３、気温センサ６、湿度センサ７及び二酸化炭素濃度センサ８が設置される。二酸化炭素・ミスト制御盤１３には、二酸化炭素発生機２の運転条件として、運転開始時刻、運転終了時刻、二酸化炭素濃度、二酸化炭素停止温度及び二酸化炭素再開温度が設定でき、二酸化炭素停止温度には換気開始温度に対応する値を、二酸化炭素再開温度には換気停止温度に対応する値をそれぞれ設定する。循環扇４はミスト発生機２の運転・停止と同期させ、ミストポンプユニット３は換気と関係なく運転する。【選択図】  図１
2014093985.tif 000002
【特許請求の範囲】
【請求項１】
温室内に設置された二酸化炭素発生装置及び換気装置を制御する制御装置を備え、以下の構成を備えていることを特徴とする光合成促進システム。
（１）前記制御装置として、前記換気装置による換気動作の作動条件となる換気開始温度及び換気停止温度を設定可能に構成され、前記温室内に設置された気温センサによる検出値と前記換気開始温度及び換気停止温度とを比較判定することによって、前記換気装置の運転を制御する換気制御を実行する換気コントローラを備えていること。
（２）前記制御装置として、前記二酸化炭素発生装置の運転を開始する二酸化炭素運転開始時刻、前記二酸化炭素発生装置の運転を終了する二酸化炭素運転終了時刻及び二酸化炭素濃度設定値を設定可能に構成され、二酸化炭素運転開始時刻になったら前記二酸化炭素発生装置を運転開始し、前記温室内に設置された二酸化炭素濃度センサによる検出値と前記二酸化炭素濃度設定値とを比較することによって、前記二酸化炭素発生装置の運転状態を制御する処理を前記二酸化炭素運転終了時刻まで実行する二酸化炭素コントローラを備えていること。
（３）前記二酸化炭素コントローラは、さらに、前記二酸化炭素運転開始時刻から二酸化炭素運転終了時刻の間において前記二酸化炭素発生装置の運転を停止させる二酸化炭素停止温度及び当該二酸化炭素発生装置の運転の停止後に運転を再開させる二酸化炭素再開温度をも設定可能に構成され、前記二酸化炭素運転開始時刻から二酸化炭素運転終了時刻までの間で、前記温室内に設置された気温センサからの検出値と前記二酸化炭素停止温度とを比較し、気温の検出値が二酸化炭素停止温度を上回ったときに前記二酸化炭素発生装置の運転を停止させ、こうして運転を停止させた後の気温の検出値が前記二酸化炭素再開温度を下回ったときに前記二酸化炭素発生装置の運転を再開する二酸化炭素運転停止・再開制御をも実行する様に構成されていること。
【請求項２】
さらに、以下の構成をも備えたことを特徴とする請求項１記載の光合成促進システム。
（４）前記二酸化炭素コントローラは、前記二酸化炭素運転開始時刻から二酸化炭素運転終了時刻までの間で前記二酸化炭素発生装置の運転を停止する場合及び前記二酸化炭素発生装置の運転を再開する場合に所定の遅延時間を待ってからこれらの制御が実行される様に構成されていること。
【請求項３】
さらに、以下の構成をも備えたことを特徴とする請求項１又は２のいずれかの請求項に記載の光合成促進システム。
（５）前記温室内には循環扇と当該循環扇の運転を制御する循環扇コントローラとが設置され、前記二酸化炭素コントローラは前記循環扇コントローラに対して前記二酸化炭素発生装置の運転開始及び運転停止を通知する機能を備えると共に、前記循環扇コントローラは、当該通知を受け、前記二酸化炭素発生装置の運転開始に伴って前記循環扇を運転を開始し、前記二酸化炭素発生装置の運転停止に伴って前記循環扇の運転を停止する制御を実行する様に構成されていること。
【請求項４】
さらに、以下の構成をも備えたことを特徴とする請求項１〜３のいずれか一の請求項に記載の光合成促進システム。
（６）前記温室内にはミスト発生装置も設置され、当該ミスト発生装置の運転を開始するミスト発生開始時刻、当該ミスト発生装置の運転を終了するミスト発生終了時刻、湿度設定値、及び前記ミスト発生開始時刻からミスト発生終了時刻の間であっても前記ミスト発生装置の運転を停止するミスト停止温度を設定可能に構成され、ミスト発生開始時刻になったら前記ミスト発生装置の運転を開始し、前記温室内の湿度と前記湿度設定値とを比較して温室内を前記湿度設定値に近付ける様に前記ミスト発生装置の運転状態を制御する処理をミスト発生終了時刻まで実行すると共に、前記温室内に設置された気温センサによる検出値が前記ミスト停止温度を下回ったときは、運転時間中であっても前記ミスト発生装置を停止させるミストコントローラを備えていること。
【請求項５】
さらに、以下の構成をも備えたことを特徴とする請求項４に記載の光合成促進システム。
（７）前記ミストコントローラは、前記湿度設定値を飽差で設定する様に構成され、前記温室内に設置された気温センサ及び湿度センサによる検出値から飽差算出値を求めて前記ミスト発生装置の運転状態を制御する様に構成されていること。
【発明の詳細な説明】
【技術分野】
【０００１】
本発明は、二酸化炭素を温室内に供給して作物の光合成を促進させるシステムに関するものである。
【背景技術】
【０００２】
従来、温室内に強制的に二酸化炭素を供給して作物の光合成を促進するシステムが知られている（特許文献１，２）。
【０００３】
特許文献１は、図６（Ａ）に示す様に、温室内の二酸化炭素濃度が夜明けと共に太陽光を受けた作物の炭酸同化作用によって急激に低下する点に着目し、太陽電池をセンサに用いて日中の理想二酸化炭素濃度を演算し、温室内の二酸化炭素濃度計測値が理想二酸化炭素濃度となる様に二酸化炭素供給量を制御するシステムを提案している。
【０００４】
特許文献２は、日中の温度上昇によって換気が行われると温室からの空気流出に伴って二酸化炭素の供給が無駄になるのを防止するため、図６（Ｂ）に示す様に、換気窓の開度を入力し、開度１５％未満の場合は補正量をゼロとし、開度４０％以上では補正量を−１５０ｐｐｍ程度に設定し、開度１５％〜４０％の間は開度が大きくなるにつれて補正量を増大させる制御を行うことにより、換気窓の開度に応じて二酸化炭素基準濃度を減少させるシステムを提案している。
【先行技術文献】
【特許文献】
【０００５】
【特許文献１】特開昭６３−３０４９２３（図１，図３）
【特許文献２】特許第３５１１６８４号（図１，図３）
【発明の概要】
【発明が解決しようとする課題】
【０００６】
特許文献２の技術は、換気窓が１５％以上の開度に開かれた場合に基準濃度を減少補正することで、二酸化炭素の無駄を防止するものである。
【０００７】
ここで、二酸化炭素供給装置としては、ボンベ方式と燃焼方式があり、コスト面等から燃焼方式が一般的である。このため、換気中も二酸化炭素供給のための燃焼装置の作動が続行することとなり、換気窓が開いたままとなり易く、特許文献２の技術では二酸化炭素の無駄を十分に抑制することができない可能性がある。
【０００８】
また、ボンベ方式であっとしても、補正量が適切でなければ、二酸化炭素は無駄に供給されることとなる。
【０００９】
さらに、温室内の湿度が適正でないと、二酸化炭素を供給しても作物が十分にこれを吸収できず、光合成促進効果を発揮できず、二酸化炭素を無駄にするという問題もある。
【００１０】
そこで、本発明は、温室内に二酸化炭素を供給して光合成を促進させるシステムにおいて、二酸化炭素の無駄を的確に防止しつつ光合成促進効果を十分に発揮させること、を目的としてなされた。
【課題を解決するための手段】
【００１１】
上記目的を達成するためになされた本発明の光合成促進システムは、温室内に設置された二酸化炭素発生装置及び換気装置を制御する制御装置を備え、以下の構成を備えていることを特徴とする。
（１）前記制御装置として、前記換気装置による換気動作の作動条件となる換気開始温度及び換気停止温度を設定可能に構成され、前記温室内に設置された気温センサによる検出値と前記換気開始温度及び換気停止温度とを比較判定することによって、前記換気装置の運転を制御する換気制御を実行する換気コントローラを備えていること。
（２）前記制御装置として、前記二酸化炭素発生装置の運転を開始する二酸化炭素運転開始時刻、前記二酸化炭素発生装置の運転を終了する二酸化炭素運転終了時刻及び二酸化炭素濃度設定値を設定可能に構成され、二酸化炭素運転開始時刻になったら前記二酸化炭素発生装置を運転開始し、前記温室内に設置された二酸化炭素濃度センサによる検出値と前記二酸化炭素濃度設定値とを比較することによって、前記二酸化炭素発生装置の運転状態を制御する処理を前記二酸化炭素運転終了時刻まで実行する二酸化炭素コントローラを備えていること。
（３）前記二酸化炭素コントローラは、さらに、前記二酸化炭素運転開始時刻から二酸化炭素運転終了時刻の間において前記二酸化炭素発生装置の運転を停止させる二酸化炭素停止温度及び当該二酸化炭素発生装置の運転の停止後に運転を再開させる二酸化炭素再開温度をも設定可能に構成され、前記二酸化炭素運転開始時刻から二酸化炭素運転終了時刻までの間で、前記温室内に設置された気温センサからの検出値と前記二酸化炭素停止温度とを比較し、気温の検出値が二酸化炭素停止温度を上回ったときに前記二酸化炭素発生装置の運転を停止させ、こうして運転を停止させた後の気温の検出値が前記二酸化炭素再開温度を下回ったときに前記二酸化炭素発生装置の運転を再開する二酸化炭素運転停止・再開制御をも実行する様に構成されていること。
【００１２】
ここで、本発明の光合成促進システムは、さらに、以下の構成をも備えるとよい。
（４）前記二酸化炭素コントローラは、前記二酸化炭素運転開始時刻から二酸化炭素運転終了時刻までの間で前記二酸化炭素発生装置の運転を停止する場合及び前記二酸化炭素発生装置の運転を再開する場合に所定の遅延時間を待ってからこれらの制御が実行される様に構成されていること。
【００１３】
本発明において、（換気開始温度）＝（換気停止温度）としてもよいが、（換気開始温度）＞（換気停止温度）として所定のヒステリシスを持たせて不安定な制御にならない様に設定するか、（換気開始温度）＝（換気停止温度）としておいて換気開始及び換気停止を実際に実行するまでに遅延時間を持たせる様にするとよい。同じく、（二酸化炭素停止温度）＜（二酸化炭素再開温度）として所定のヒステリシスを持たせておくか、（二酸化炭素停止温度）＝（二酸化炭素再開温度）としておいて停止及び再開の実行に遅延時間を持たせる様にするとよい。また、（二酸化炭素停止温度）≒（換気開始温度）、（二酸化炭素再開温度）≒（換気停止温度）としておくとよい。この様に、二酸化炭素発生装置の運転停止・運転再開に対して遅延時間を待つことは、特に、灯油燃焼式タイプの場合の運転制御を安定化させることができて望ましい。
【００１４】
本発明の光合成促進システムによれば、温室内の気温が上昇して換気を行うべき条件となったときは、換気装置が作動されて換気が行われる。これによって温室内の熱気が排出されるが、二酸化炭素コントローラは、二酸化炭素運転停止温度の設定により、換気が行われる様な場合には、二酸化炭素発生装置の運転を停止させることができる。この結果、換気によって温室内の空気が排出されるときに無駄に二酸化炭素を発生させることがない。また、換気開始温度と二酸化炭素停止温度とを適切に設定するだけでよく、面倒な二酸化炭素濃度補正値を設定する必用がない。なお、二酸化炭素の発生は停止するが、光合成の進行によって二酸化炭素濃度が低下した温室内の空気に替わって、外気が温室内に進入するから、温室内の二酸化炭素濃度が極端に低くなるといったことはない。よって、本発明によって光合成の促進に対する弊害が生じるということもない。
【００１５】
これら本発明の光合成促進システムは、さらに、以下の構成をも備えるとよい。
（５）前記温室内には循環扇と当該循環扇の運転を制御する循環扇コントローラとが設置され、前記二酸化炭素コントローラは前記循環扇コントローラに対して前記二酸化炭素発生装置の運転開始及び運転停止を通知する機能を備えると共に、前記循環扇コントローラは、当該通知を受け、前記二酸化炭素発生装置の運転開始に伴って前記循環扇を運転を開始し、前記二酸化炭素発生装置の運転停止に伴って前記循環扇の運転を停止する制御を実行する様に構成されていること。
【００１６】
本発明の光合成促進システムに（５）の構成をも備えさせることにより、二酸化炭素発生装置の運転中は循環扇を運転して温室内の空気を循環させ、二酸化炭素濃度の偏りを防止することができる。また、二酸化炭素発生装置の運転が停止されたときは、循環扇の運転も停止されるので、循環扇が運転され続けることによって温室内の二酸化炭素を積極的に排出してしまうということもない。
【００１７】
これら本発明の光合成促進システムは、さらに以下の構成をも備える様にするとよい。
（６）前記温室内にはミスト発生装置も設置され、当該ミスト発生装置の運転を開始するミスト発生開始時刻、当該ミスト発生装置の運転を終了するミスト発生終了時刻、湿度設定値、及び前記ミスト発生開始時刻からミスト発生終了時刻の間であっても前記ミスト発生装置の運転を停止するミスト停止温度を設定可能に構成され、ミスト発生開始時刻になったら前記ミスト発生装置の運転を開始し、前記温室内の湿度と前記湿度設定値とを比較して温室内を前記湿度設定値に近付ける様に前記ミスト発生装置の運転状態を制御する処理をミスト発生終了時刻まで実行すると共に、前記温室内に設置された気温センサによる検出値が前記ミスト停止温度を下回ったときは、運転時間中であっても前記ミスト発生装置を停止させるミストコントローラを備えていること。
【００１８】
この場合、さらに以下の構成をも備える様にするとよい。
（７）前記ミストコントローラは、前記湿度設定値を飽差で設定する様に構成され、前記温室内に設置された気温センサ及び湿度センサによる検出値から飽差算出値を求めて前記ミスト発生装置の運転状態を制御する様に構成されていること。
【００１９】
ミスト停止温度には、ミストの供給による冷却効果で低温障害を起こさない様にすることを考慮した温度を設定する。また、ミスト停止後のミスト再開温度も設定可能に構成し、ミスト停止とミスト再開の間にヒステリシスを持たせる様にしたり、あるいは、停止及び再開の実行に遅延時間を持たせる様にしておくと運転制御が安定する。
【００２０】
本発明の光合成促進システムに（６）の構成をも備えさせることにより、温室内の湿度を光合成促進に適する環境となる様に制御することができる。この結果、二酸化炭素の供給と相俟って、光合成促進効果をより一層高めることができる。一方、このミストコントローラは、換気装置による換気が行われることによってミスト発生装置の運転を停止することはしない。ミスト発生装置によって発生したミストが排出されたとしても、ミスト発生装置の運転コストは低額であるから大きな問題はない。むしろ、換気が必用な程に上昇した気温をミストが冷却する効果を発揮し、速やかに温室内の気温を適切な温度へと収束させる効果を発揮する。このとき、（５）の構成をも備える場合は、循環扇が停止されているから、ミストによる冷却効果が強くなって低温障害を発生したりすることがない。加えて（７）の構成をも備える場合、飽差というパラメータだけで光合成に最適な湿度環境を実現することができ、制御が容易でかつ精度のよい環境管理を実現することができる。
【発明の効果】
【００２１】
本発明によれば、温室内に二酸化炭素を供給して光合成を促進させるシステムにおいて、二酸化炭素の無駄を的確に防止しつつ光合成促進効果を十分に発揮させることができる。
【図面の簡単な説明】
【００２２】
【図１】実施例１の光合成促進システムの構成を示す模式図である。
【図２】実施例１における換気コントローラとしての制御処理の内容を示すフローチャートである。
【図３】実施例１における二酸化炭素コントローラとしての制御処理の内容を示すフローチャートである。
【図４】実施例１におけるミストコントローラとしての制御処理の内容を示すフローチャートである。
【図５】実施例１における循環扇コントローラとしての制御処理の内容を示すフローチャートである。
【図６】従来技術の説明図である。
【発明を実施するための形態】
【００２３】
以下、本発明を実施するための形態を、図面に示す具体的な実施例に基づいて説明する。
【実施例１】
【００２４】
実施例１の光合成促進システム１０が適用される温室１には、図１に示す様に、二酸化炭素発生機２、ミストポンプユニット３、循環扇４、及び天窓開閉用モータ５が設置されている。また、温室１には、これらの機器の動作を制御する循環扇制御盤１１、換気制御盤１２及び二酸化炭素・ミスト制御盤１３も設置されている。さらに、温室１には、気温センサ６、湿度センサ７、及び二酸化炭素濃度センサ８が設置されている。
【００２５】
二酸化炭素・ミスト制御盤１３は、気温センサ６、湿度センサ７、及び二酸化炭素濃度センサ８からの計測値を入力し、二酸化炭素発生機２及びミストポンプユニット３の運転状況を制御すると共に、循環扇制御盤１１に対して指令を出力している。
【００２６】
循環扇制御盤１１は、二酸化炭素・ミスト制御盤１３からの指令に基づいて循環扇４の運転を制御し、換気制御盤１２は、気温センサ６からの検出信号を入力して天窓開閉用モータ５を運転制御している。
【００２７】
換気制御盤１２には、天窓を開閉する条件として、換気開始温度Ｔ１と換気停止温度Ｔ２（＜Ｔ１）を設定することができる。換気制御盤１２は、図２に示す様に、気温センサ６によって検出された温室内の気温ｔが換気開始温度Ｔ１を上回った場合に天窓開閉用モータ５を天窓開放方向に運転して天窓を開いて温室１の換気を実行する（Ｓ１１０，Ｓ１２０）。逆に、温室内の気温ｔが換気停止温度Ｔ２を下回ったときに天窓開閉用モータ５を天窓閉鎖方向に運転して天窓を閉じて温室１の換気を停止する（Ｓ１３０，Ｓ１４０）。
【００２８】
二酸化炭素・ミスト制御盤１３には、二酸化炭素発生機２の運転条件とミストポンプユニット３の運転条件が設定可能となっている。
【００２９】
二酸化炭素発生機２の運転条件は、運転開始時刻、運転終了時刻、及び二酸化炭素濃度から構成される。また、二酸化炭素・ミスト制御盤１３は、二酸化炭素発生機２を運転すべき時間帯であっても、その運転を停止させる停止条件として二酸化炭素停止温度Ｔ３を設定することができる様にも構成されている。また、気温が上昇して停止された二酸化炭素発生機２の運転を再開するための二酸化炭素再開温度Ｔ４も設定することができる構成となっている。二酸化炭素停止温度Ｔ３には換気開始温度Ｔ１に対応する値を設定する。また、二酸化炭素再開温度Ｔ４には換気停止温度Ｔ２に対応する値を設定する。この場合も、二酸化炭素再開温度Ｔ４は、二酸化炭素停止温度Ｔ３よりも高目に設定してヒステリシスを持たせる。
【００３０】
二酸化炭素濃度は、運転開始時刻から運転終了時刻までの間で一定値を設定することもできるし、運転開始から運転終了までを複数の時間帯に分けて、時間帯毎に二酸化炭素濃度を異ならせた値を設定することもできる。これは、朝方、昼頃、夕方で太陽光の強さが変化することに伴って光合成の状況が変化する現象に合わせるためである。
【００３１】
ミストポンプユニット３の運転条件としては、運転開始時刻、運転終了時刻、飽差設定値、ミスト停止温度Ｔ５及びミスト再開温度Ｔ６（＞Ｔ５）を設定する構成となっている。飽差とは、以下の式によって定まるパラメータである。この飽差設定値も、運転開始時刻から運転終了時刻までの間で一定値を設定することもできるし、運転開始から運転終了までを複数の時間帯に分けて、時間帯毎に異ならせた値を設定することもできる。これも、光合成の促進と湿度との関係を考慮し、朝方、昼頃、夕方で太陽光の強さが変化することに伴って光合成の状況が変化する現象に合わせるためである。ミスト停止温度Ｔ５及びミスト再開温度Ｔ６には、換気とは関係なく、低温障害が生じることのない様にするための気温を設定する。
【００３２】
(数１)
（気温T℃における飽和水蒸気量(g/m3)）−（そのときの水蒸気量(g/m3)）
＝飽差（g/m3)
【００３３】
二酸化炭素・ミスト制御盤１３は、図３に示す様に、二酸化炭素発生機２の運転開始時刻になると二酸化炭素発生機２の運転を開始させると共に（Ｓ２１０，Ｓ２２０）、循環扇制御盤１２に対して二酸化炭素発生機２の運転開始を通知する（Ｓ２２５）。そして、二酸化炭素濃度センサ８からの検出値と二酸化炭素濃度設定値とを一致させる方向に二酸化炭素発生機２の運転状況を制御する（Ｓ２３０）。時間帯に分けて二酸化炭素濃度設定値が異なる設定となっている場合は、現在の時刻に対応する二酸化炭素濃度設定値に一致する様に二酸化炭素発生機２の運転を制御する。この運転制御の方法は、灯油燃焼方式の場合は連続運転の出力変化による制御としてもよいし、間欠運転のインターバル変化による制御としてもよい。また、ボンベ方式の場合は、バルブの開度で制御するとよい。
【００３４】
そして、気温センサ６による検出温度ｔが二酸化炭素停止温度Ｔ３を上回ったか否かを判定し（Ｓ２４０）、上回った場合は二酸化炭素発生機２の運転を停止すると共に（Ｓ２４０：ＹＥＳ→Ｓ２５０）、循環扇制御盤１２に対して二酸化炭素発生機２の運転停止を通知する（Ｓ２５５）。運転停止後は、検出温度ｔが二酸化炭素再開温度Ｔ４を下回ったか否かを判定し（Ｓ２６０）、下回っていて運転終了時刻になっていない場合は（Ｓ２６０：ＹＥＳ、Ｓ２７０：ＮＯ）、Ｓ２２０へ戻る。なお、Ｓ２４０でＮＯの場合も運転終了時刻になったか否かを判定し（Ｓ２７５）、運転終了時刻になっていなければＳ２３０へ戻る。こうして、運転開始時刻から運転終了時刻までの間、以上の処理が繰り返し実行される。
【００３５】
また、二酸化炭素・ミスト制御盤１３は、図４に示す様に、ミストポンプユニット３の運転開始時刻になるとミストポンプユニット３の運転を開始させ（Ｓ３１０，Ｓ３２０）、気温センサ６及び湿度センサ７からの検出値に基づいて飽差算出値を求め（Ｓ３３０）、この算出結果を飽差設定値と一致させる方向にミストポンプユニット３の運転状況を制御する（Ｓ３３５）。時間帯に分けて飽差設定値を異ならせている場合は、現在の時刻に対応する飽差設定値に一致する様にミストポンプユニット３の運転を制御する。このミストポンプユニット３の運転制御は、気温センサ６による検出温度ｔがミスト停止温度Ｔ５を下回った場合に停止される（Ｓ３４０：ＹＥＳ→Ｓ３５０）。そして、ミスト再開温度Ｔ６を上回ったときは（Ｓ３６０：ＹＥＳ）、運転終了時刻前であればＳ３２０へ戻って運転が再開される（Ｓ３７０ＮＯ→Ｓ３２０）。Ｓ３４０でＮＯの場合も運転終了時刻になったか否かを判定し（Ｓ３７５）、運転終了時刻になっていなければＳ３３０へ戻る。こうして、運転開始時刻から運転終了時刻までの間、以上の処理が繰り返し実行される。なお、この間のミストポンプユニット３の運転方法は、連続運転ではなく、インターバルを変化させた間欠運転の繰り返しとなる。
【００３６】
循環扇制御盤１２は、図５に示す様に、二酸化炭素・ミスト制御盤１３から二酸化炭素発生機２の運転開始が通知されると循環扇４の運転を開始し（Ｓ４１０，Ｓ４２０）、二酸化炭素・ミスト制御盤１３から二酸化炭素発生機２の運転停止が通知されると循環扇４の運転を停止する（Ｓ４３０，Ｓ４４０）。
【００３７】
実施例１の光合成促進システム１０によれば、夜明けから日没までの光合成が行われる時間帯においては、二酸化炭素発生機２が運転されて温室１の内部を所望の二酸化炭素濃度に保つ制御が実行される。また、朝方、夕方、夜間といった低温障害のおそれがある時間帯を避けてミストポンプユニット３によるミストも供給される。また、二酸化炭素発生機２が運転されている間は、循環扇４が運転されて温室１内の二酸化炭素濃度分布に偏りがでない様にも制御される。この結果、温室１の内部には適度な湿度と適度な濃度の二酸化炭素が偏ることなく供給され、作物の光合成が促進される。
【００３８】
そして、気温が上昇して換気が行われると、二酸化炭素発生機２及び循環扇４の運転が停止される。これにより、換気に伴う空気の入れ替わりによる二酸化炭素の無駄が排除される。なお、この換気が行われている間は、光合成によって二酸化炭素濃度が下がった温室内の空気が出ていき、逆に、温室内よりも二酸化炭素濃度が高い外気が進入するので、温室内で光合成が進まなくなる訳ではない。特に、本実施例では、二酸化炭素発生機２を停止させる温度Ｔ３とミストポンプユニット３を停止させる温度Ｔ５は、Ｔ５＜＜Ｔ３の関係であるから、ミストポンプユニット３は運転を継続している。この結果、温室内は適度な湿度が保たれることとなり、進入する外気中の二酸化炭素を用いた光合成が促進される。なお、ミストポンプユニット３によるミストの供給は、冷却効果もあることから、換気による熱気の排出と相俟って、温室内を適切な温度へと早く収束させる効果も期待できる。即ち、二酸化炭素発生機２を停止した後もミストポンプユニット３の運転は継続する制御を行うことにより、温室内の気温を早く下げることができ、二酸化炭素発生機２の運転再開タイミングが早くなり、温室内を高濃度の二酸化炭素雰囲気へと戻し、光合成を促進することができる。
【００３９】
以上、本発明の実施例を説明したが、本発明は実施例に限られるものではなく、その要旨を逸脱しない範囲内においてさらに種々の形態を採用することができることはもちろんである。
【００４０】
例えば、換気開始温度Ｔ１＝換気停止温度Ｔ２としておいて、動作に遅延時間を持たせる様にしたり、同様に、二酸化炭素停止温度Ｔ３＝二酸化炭素再開温度Ｔ４としておいて、遅延時間で動作を安定化させるなどしても構わない。ミスト発生装置２の停止・再開も同様である。また、実施例では、換気コントローラ、二酸化炭素コントローラ、循環扇コントローラ及びミストコントローラに相当する制御盤を別体として図示したが、例えば、関係の深い二酸化炭素コントローラと循環扇コントローラを一体化した制御盤としたり、二酸化炭素コントローラとミストコントローラを一体化した制御盤としたり、二酸化炭素コントローラ、循環扇コントローラを一体化した制御盤としたり、換気コントローラ、二酸化炭素コントローラ、循環扇コントローラ及びミストコントローラを一体化した集中制御盤として実施する場合も本発明の要旨を逸脱するものではない。
【産業上の利用可能性】
【００４１】
温室における作物の栽培に利用することができる。
【符号の説明】
【００４２】
１・・・温室
２・・・二酸化炭素発生機
３・・・ミストポンプユニット
４・・・循環扇
５・・・天窓開閉用モータ
６・・・気温センサ
７・・・湿度センサ
８・・・二酸化炭素濃度センサ
１０・・・光合成促進システム
１１・・・循環扇制御盤
１２・・・換気制御盤
１３・・・二酸化炭素・ミスト制御盤
【図１】
2014093985.tif 000003
【図２】
2014093985.tif 000004
【図３】
2014093985.tif 000005
【図４】
2014093985.tif 000006
【図５】
2014093985.tif 000007
【図６】
2014093985.tif 000008